(57)【要約】【課題】仕上がりをイメージしながら複数の写真画像からなる連結写真画像を撮影できる自動写真撮影装置を提供する。【解決手段】連結写真画像に合成する連結フレーム１８をモニタの左右両画面２０Ｌ，２０Ｒに表示するとともに、撮影済みの１枚目の写真画像２１Ｌを左画面２０Ｌに表示したまま、カメラで撮影されている被写体のライブ映像１９をモニタの右画面２０Ｒに表示する。【選択図】図１２
2011083007.tif 000002
【特許請求の範囲】
【請求項１】
被写体を撮影するカメラと、
前記カメラにより撮影されている被写体の映像をライブ映像としてリアルタイムで被写体に向けて表示するモニタ表示装置と、
前記モニタ表示装置に表示されている被写体のライブ映像を写真画像として所定のタイミングで固定するシャッタ手段と、
前記シャッタ手段により固定された写真画像を記憶する記憶手段と、
前記記憶手段から読み出された写真画像をライブ映像の隣に表示するように前記モニタ表示装置を制御するモニタ表示制御手段と、
前記記憶手段から読み出された写真画像を印刷するプリンタとを備えたことを特徴とする自動写真撮影装置。
【請求項２】
請求項１に記載の自動写真撮影装置であって、
前記モニタ表示制御手段は、前記モニタ表示装置に表示されているライブ映像及び写真画像にまたがって所定の装飾画像を表示するように前記モニタ表示装置を制御することを特徴とする自動写真撮影装置。
【請求項３】
請求項１又は２に記載の自動写真撮影装置であって、
前記モニタ表示制御手段は、前記シャッタ手段が写真画像を固定する前でも後でも、ライブ映像を同じ位置に表示するように前記モニタ表示装置を制御することを特徴とする自動写真撮影装置。
【請求項４】
請求項１又は２に記載の自動写真撮影装置であって、
前記モニタ表示制御手段は、前記シャッタ手段が写真画像を固定する前でも後でも、ライブ映像を中央に表示し、前記シャッタ手段が写真画像を固定する前では、操作方法を示す案内画像をライブ映像の一方隣に表示し、前記シャッタ手段が写真画像を固定する後では、案内画像の代わりに写真画像をライブ映像の一方隣に表示し、案内画像をライブ映像の他方隣に表示するように前記モニタ表示装置を制御することを特徴とする自動写真撮影装置。
【請求項５】
請求項３又は４に記載の自動写真撮影装置であって、
前記カメラは、前記モニタ表示装置に表示されるライブ画像の真上に配置されることを特徴とする自動写真撮影装置。
【請求項６】
被写体を撮影するカメラと、
前記カメラにより撮影されている被写体の映像をライブ映像としてリアルタイムで被写体に向けて表示するモニタ表示装置と、
前記モニタ表示装置に表示されている被写体のライブ映像を写真画像として所定のタイミングで固定するシャッタ手段と、
１枚の写真画像からなる個別写真画像を取得するための個別撮影モードと、複数枚の写真画像からなる連結写真画像を取得するための連結撮影モードとを切り替える切替手段と、
個別撮影モードにおいて前記シャッタ手段により固定された各写真画像を個別写真画像として記憶し、連結撮影モードにおいて前記シャッタ手段により固定された複数の写真画像を連結写真画像として記憶する記憶手段と、
前記記憶手段から読み出された写真画像を表示し、左及び右タッチペンによる入力を受け付けるタッチパネルを有する編集表示装置と、
前記記憶手段に記憶された写真画像の中から編集対象の写真画像を選択する編集写真選択手段と、
前記編集写真選択手段により個別写真画像が選択された場合、その選択された個別写真画像を左画面又は右画面に表示し、前記編集写真選択手段により連結写真画像が選択された場合、その選択された連結写真画像を左画面及び右画面に表示するように前記編集表示装置を制御する編集表示制御手段と、
前記編集写真選択手段により個別写真画像が選択された場合、左画面に対応するタッチパネルの領域内への左タッチペンによる入力を許可しかつ右タッチペンによる入力を禁止し、右画面に対応するタッチパネルの領域内への右タッチペンによる入力を許可しかつ左タッチペンによる入力を禁止し、前記編集写真選択手段により連結写真画像が選択された場合、左画面に対応するタッチパネルの領域内への左及び右タッチペンによる入力を許可しかつ右画面に対応するタッチパネルの領域内への左及び右タッチペンによる入力を許可するタッチペン制御手段と、
左及び右タッチペンによる入力に応じて所望の編集画像を前記編集写真選択手段により選択された写真画像に追加する編集手段と、
前記記憶手段から読み出された写真画像と前記編集手段により追加された編集画像とを合成して印刷するプリンタとを備えたことを特徴とする自動写真撮影装置。
【請求項７】
請求項６に記載の自動写真撮影装置であって、
前記編集表示制御手段は、前記編集写真選択手段により個別写真画像及び連結写真画像が選択された場合、その選択された個別写真画像及び連結写真画像を並べて表示するように前記編集表示装置を制御することを特徴とする自動写真撮影装置。
【請求項８】
請求項７に記載の自動写真撮影装置であって、
前記編集表示制御手段は、連結写真画像の隣り合う写真画像の間には間隔をおかず、個別写真画像と連結写真画像との間には間隔をおくように前記編集表示装置を制御することを特徴とする自動写真撮影装置。
【請求項９】
請求項６に記載の自動写真撮影装置であって、
前記編集表示制御手段は、個別写真画像のサムネイル画像と視覚的に識別可能な態様で連結写真画像のサムネイル画像を表示するように前記編集表示装置を制御することを特徴とする自動写真撮影装置。
【請求項１０】
請求項６に記載の自動写真撮影装置であってさらに、
連結写真画像の中から１又は２以上の写真画像を選択する表示写真選択手段を備え、
前記編集表示制御手段は、前記表示写真選択手段により選択された写真画像を表示するように前記編集表示装置を制御することを特徴とする自動写真撮影装置。
【請求項１１】
カメラにより撮影されている被写体の映像をライブ映像としてリアルタイムで被写体に向けて表示するステップと、
前記表示されている被写体のライブ映像を第１の写真画像として所定のタイミングで固定するステップと、
前記固定された第１の写真画像を記憶手段に記憶するステップと、
前記記憶手段から読み出された第１の写真画像をライブ映像の隣に表示するステップと、
前記第１の写真画像の隣に表示されている被写体のライブ映像を第２の写真画像として所定のタイミングで固定するステップと、
前記固定された第２の写真画像を前記記憶手段に記憶するステップと、
前記記憶手段から読み出された第１及び第２の写真画像を印刷するステップとを備えたことを特徴とする自動写真撮影方法。
【請求項１２】
カメラにより撮影されている被写体の映像をライブ映像としてリアルタイムで被写体に向けて表示するステップと、
前記表示されている被写体のライブ映像を第１の写真画像として所定のタイミングで固定するステップと、
前記固定された第１の写真画像を記憶手段に記憶するステップと、
前記記憶手段から読み出された第１の写真画像をライブ映像の隣に表示するステップと、
前記第１の写真画像の隣に表示されている被写体のライブ映像を第２の写真画像として所定のタイミングで固定するステップと、
前記固定された第２の写真画像を前記記憶手段に記憶するステップと、
前記記憶手段から読み出された第１及び第２の写真画像を印刷するステップとコンピュータに実行させることを特徴とする自動写真撮影プログラム。
【請求項１３】
カメラにより撮影されている被写体の映像をライブ映像としてリアルタイムで被写体に向けて表示するステップと、
１枚の写真画像からなる個別写真画像を取得するための個別撮影モードと、複数枚の写真画像からなる連結写真画像を取得するための連結撮影モードとを切り替えるステップと、
前記表示されている被写体のライブ映像を写真画像として所定のタイミングで固定するステップと、
前記個別撮影モードにおいて固定された各写真画像を個別写真画像として記憶手段に記憶するステップと、
前記連結撮影モードにおいて固定された複数の写真画像を連結写真画像として記憶手段に記憶するステップと、
前記記憶手段に記憶された写真画像の中から編集対象の写真画像を選択するステップと、
前記個別写真画像が選択された場合、その選択された個別写真画像を左画面又は右画面に表示するステップと、
前記個別写真画像が選択された場合、左画面に対応するタッチパネルの領域内への左タッチペンによる入力を許可しかつ右タッチペンによる入力を禁止し、右画面に対応するタッチパネルの領域内への右タッチペンによる入力を許可しかつ左タッチペンによる入力を禁止するステップと、
前記連結写真画像が選択された場合、その選択された連結写真画像を左画面及び右画面に表示するステップと、
前記連結写真画像が選択された場合、左画面に対応するタッチパネルの領域内への左及び右タッチペンによる入力を許可しかつ右画面に対応するタッチパネルの領域内への左及び右タッチペンによる入力を許可するステップと、
左及び右タッチペンによる入力に応じて所望の編集画像を前記選択された写真画像に追加するステップと、
前記記憶手段に記憶された写真画像と前記追加された編集画像とを合成して印刷するステップとを備えたことを特徴とする自動写真撮影方法。
【請求項１４】
カメラにより撮影されている被写体の映像をライブ映像としてリアルタイムで被写体に向けて表示するステップと、
１枚の写真画像からなる個別写真画像を取得するための個別撮影モードと、複数枚の写真画像からなる連結写真画像を取得するための連結撮影モードとを切り替えるステップと、
前記表示されている被写体のライブ映像を写真画像として所定のタイミングで固定するステップと、
前記個別撮影モードにおいて固定された各写真画像を個別写真画像として記憶手段に記憶するステップと、
前記連結撮影モードにおいて固定された複数の写真画像を連結写真画像として記憶手段に記憶するステップと、
前記記憶手段に記憶された写真画像の中から編集対象の写真画像を選択するステップと、
前記個別写真画像が選択された場合、その選択された個別写真画像を左画面又は右画面に表示するステップと、
前記個別写真画像が選択された場合、左画面に対応するタッチパネルの領域内への左タッチペンによる入力を許可しかつ右タッチペンによる入力を禁止し、右画面に対応するタッチパネルの領域内への右タッチペンによる入力を許可しかつ左タッチペンによる入力を禁止するステップと、
前記連結写真画像が選択された場合、その選択された連結写真画像を左画面及び右画面に表示するステップと、
前記連結写真画像が選択された場合、左画面に対応するタッチパネルの領域内への左及び右タッチペンによる入力を許可しかつ右画面に対応するタッチパネルの領域内への左及び右タッチペンによる入力を許可するステップと、
左及び右タッチペンによる入力に応じて所望の編集画像を前記選択された写真画像に追加するステップと、
前記記憶手段に記憶された写真画像と前記追加された編集画像とを合成して印刷するステップとをコンピュータに実行させることを特徴とする自動写真撮影プログラム。
【発明の詳細な説明】
【技術分野】
【０００１】
本発明は、自動写真撮影装置及びその方法に関し、さらに詳しくは、利用者を撮影して得た写真画像をシール紙に印刷して写真シールを製造する自動写真撮影装置及びその方法に関する。
【背景技術】
【０００２】
ゲームセンタなどの遊戯施設には、利用者を被写体としてカメラで撮影し、その写真画像をシール紙に印刷して販売する自動写真撮影装置が設置されている。これらの自動写真撮影装置は、利用者を撮影して写真画像を取得する撮影装置と、写真画像をタブレットディスプレイなどに表示し、その写真画像に付属のタッチペンで文字や図形などを落書きして編集画像を入力する画像編集装置とを備えたものが一般的になっている。画像編集装置で入力された編集画像は写真画像と合成され、その合成画像がプリンタでシール紙に印刷され、利用者に提供される。
【０００３】
自動写真撮影装置には、カメラで撮影されている被写体の映像をライブ映像としてリアルタイムで表示するモニタ表示装置が設けられ、利用者がライブ映像を確認しながら写真撮影できるようになっている。また、利用者が希望する場合には、写真画像の前景となる装飾用のフレームがライブ映像上に重ねて表示され、利用者がフレームの位置を意識しながら写真撮影できるものもある。
【０００４】
一般的には１枚の写真画像に対して１つのフレームが合成されるが、２枚の写真画像に対して１つのフレームが合成されるものもある。このフレームは２枚の写真画像上に渡って統一的な装飾画像を形成するもので、以下、このフレームを「連結フレーム」と呼び、２枚の写真画像を「連結写真画像」と呼ぶ。
【０００５】
連結フレームを用いる場合には、最初に、連結フレームの右又は左半分がライブ映像上に重ねて表示されている状態で１枚目の写真撮影を行い、次に、連結フレームの残り半分がライブ映像上に重ねて表示されている状態で２枚目の写真撮影を行っている。そのため、連結写真画像に連結フレームを合成した仕上がりの全体イメージを捉え難いという問題があった。その結果、被写体の位置が意図した位置よりもずれ、両写真画像に写っている被写体同士のバランスが悪くなることがあった。
【先行技術文献】
【特許文献】
【０００６】
【特許文献１】特開２００４−２６０６５０号公報
【特許文献２】特開２００４−３２００７７号公報
【特許文献３】特開２００２−１９９３１４号公報
【特許文献４】特開２００３−２８９４８８号公報
【特許文献５】特開２００４−１５３８５２号公報
【特許文献６】特許第３５２９７４７号公報
【特許文献７】特許第３７１６８１４号公報
【特許文献８】特開２００５−１２３６８０号公報
【発明の開示】
【発明が解決しようとする課題】
【０００７】
本発明の目的は、仕上がりをイメージしながら連結写真画像を撮影することができる自動写真撮影装置及びその方法並びに自動写真撮影プログラムを提供することである。
【０００８】
本発明のもう１つの目的は、複数の利用者が一緒に連結写真画像を編集することができる自動写真撮影装置及びその方法並びに自動写真撮影プログラムを提供することである。
【課題を解決するための手段及び発明の効果】
【０００９】
本発明による自動写真撮影装置は、カメラと、モニタ表示装置と、シャッタ手段と、記憶手段と、モニタ表示制御手段と、プリンタとを備える。カメラは、被写体を撮影する。モニタ表示装置は、カメラにより撮影されている被写体の映像をライブ映像としてリアルタイムで被写体に向けて表示する。シャッタ手段は、モニタ表示装置に表示されている被写体のライブ映像を写真画像として所定のタイミングで固定する。記憶手段は、シャッタ手段により固定された写真画像を記憶する。モニタ表示制御手段は、記憶手段から読み出された写真画像をライブ映像の隣に表示するようにモニタ表示装置を制御する。プリンタは、記憶手段から読み出された写真画像を印刷する。ここでは、ライブ映像及び写真画像を１台のモニタ表示装置で一緒に表示しても、複数台のモニタ表示装置で個別に表示してもよい。写真画像はライブ映像に接して表示されるのが好ましいが、隣であれば多少離れて表示されてもよい。写真画像及びライブ映像の大きさは同じであるのが好ましいが、異なっていてもよい。写真画像及びライブ映像は典型的には左右に並んで表示されるが、上下又は斜めに並んで表示されてもよい。記憶手段は単一の記憶媒体（半導体メモリ、磁気ディスクなど）で構成されていても、複数の記憶媒体で構成されていてもよい。撮隣り合わせに撮影された複数の写真画像はシール紙内でも隣り合わせに印刷されるのが好ましいが、これに限定されることはなく、バラバラに印刷されてもよい。隣り合わせに撮影された複数の写真画像は１枚のシール紙に印刷されるのが好ましいが、これに限定されることなく、２枚のシール紙にバラバラに印刷されてもよい。
【００１０】
本発明によれば、撮影済みの写真画像がライブ映像の隣に表示されるので、利用者は仕上がりをイメージしながら連結写真画像を撮影することができる。
【００１１】
好ましくは、モニタ表示制御手段は、モニタ表示装置に表示されているライブ映像及び写真画像にまたがって所定の装飾画像を表示するようにモニタ表示装置を制御する。ここで用いられる装飾画像には、連結写真画像を構成する複数の写真画像全体を縁取るフレーム、複数の写真画像上に連続的に表される図形などがあるが、図形は連続的なものに限らず、非連続的なものでもよい。
【００１２】
この場合、利用者は装飾画像の位置を考慮しながら連結写真画像を撮影することができる。
【００１３】
好ましくは、モニタ表示制御手段は、シャッタ手段が写真画像を固定する前でも後でも、ライブ映像を同じ位置に表示するようにモニタ表示装置を制御する。
【００１４】
この場合、利用者は常に同じ方を向きながら連結写真画像を撮影することができる。
【００１５】
好ましくは、モニタ表示制御手段は、シャッタ手段が写真画像を固定する前でも後でも、ライブ映像を中央に表示し、シャッタ手段が写真画像を固定する前では、操作方法を示す案内画像をライブ映像の一方隣に表示し、シャッタ手段が写真画像を固定する後では、案内画像の代わりに写真画像をライブ映像の一方隣に表示し、案内画像をライブ映像の他方隣に表示するようにモニタ表示装置を制御する。
【００１６】
この場合、利用者は常に同じ方を向きながら連結写真画像を撮影することができる。しかも、写真画像が案内画像の代わりに表示され、案内画像がライブ映像の反対隣に表示されるので、モニタ表示装置の画面領域を有効に活用しながら利用者に操作方法を案内することができる。
【００１７】
好ましくは、カメラは、モニタ表示装置に表示されるライブ画像の真上に配置される。
【００１８】
この場合、真上のカメラで撮影されているライブ映像が常に同じ位置に表示されるので、利用者は常に真正面を向きながら連結写真画像を撮影することができる。
【００１９】
本発明によるもう１つの自動写真撮影装置は、カメラと、モニタ表示装置と、シャッタ手段と、切替手段と、記憶手段と、編集表示装置と、編集写真選択手段と、編集表示制御手段と、タッチペン制御手段と、編集手段と、プリンタとを備える。カメラは、被写体を撮影する。モニタ表示装置は、カメラにより撮影されている被写体の映像をライブ映像としてリアルタイムで被写体に向けて表示する。シャッタ手段は、モニタ表示装置に表示されている被写体のライブ映像を写真画像として所定のタイミングで固定する。切替手段は、１枚の写真画像からなる個別写真画像を取得するための個別撮影モードと、複数枚の写真画像からなる連結写真画像を取得するための連結撮影モードとを切り替える。記憶手段は、個別撮影モードにおいてシャッタ手段により固定された各写真画像を個別写真画像として記憶し、連結撮影モードにおいてシャッタ手段により固定された複数の写真画像を連結写真画像として記憶する。編集表示装置は、記憶手段から読み出された写真画像を表示し、左及び右タッチペンによる入力を受け付けるタッチパネルを有する。編集写真選択手段は、記憶手段に記憶された写真画像の中から編集対象の写真画像を選択する。編集表示制御手段は、編集写真選択手段により個別写真画像が選択された場合、その選択された個別写真画像を左画面又は右画面に表示し、編集写真選択手段により連結写真画像が選択された場合、その選択された連結写真画像を左画面及び右画面に表示するように編集表示装置を制御する。タッチペン制御手段は、編集写真選択手段により個別写真画像が選択された場合、左画面に対応するタッチパネルの領域内への左タッチペンによる入力を許可しかつ右タッチペンによる入力を禁止し、右画面に対応するタッチパネルの領域内への右タッチペンによる入力を許可しかつ左タッチペンによる入力を禁止し、編集写真選択手段により連結写真画像が選択された場合、左画面に対応するタッチパネルの領域内への左及び右タッチペンによる入力を許可しかつ右画面に対応するタッチパネルの領域内への左及び右タッチペンによる入力を許可する。編集手段は、左及び右タッチペンによる入力に応じて所望の編集画像を編集写真選択手段により選択された写真画像に追加する。プリンタは、記憶手段から読み出された写真画像と編集手段により追加された編集画像とを合成して印刷する。
【００２０】
本発明によれば、個別写真画像については各自で編集し、連結写真画像については一緒に編集することができる。
【００２１】
好ましくは、編集表示制御手段は、編集写真選択手段により個別写真画像及び連結写真画像が選択された場合、その選択された個別写真画像及び連結写真画像を並べて表示するように編集表示装置を制御する。
【００２２】
この場合、連結写真画像が選択されても個別写真画像が消えることなく、連結写真画像が個別写真画像と並んで表示されるので、個別画像を編集していた利用者はその編集を中断することなく継続することができ、しかも他の利用者と一緒に連結写真画像も編集することができる。
【００２３】
好ましくは、編集表示制御手段は、連結写真画像の隣り合う写真画像の間には間隔をおかず、個別写真画像と連結写真画像との間には間隔をおくように編集表示装置を制御する。
【００２４】
この場合、利用者は連結写真画像全体をイメージしながら、しかも個別写真画像とは区別しながら、連結写真画像を編集することができる。
【００２５】
好ましくは、編集表示制御手段は、個別写真画像のサムネイル画像と視覚的に識別可能な態様で連結写真画像のサムネイル画像を表示するように編集表示装置を制御する。視覚的に識別可能な態様として、たとえば、サムネイル画像の種類ごとに配置領域を離したり、色分けしたり、線引きしたりする。
【００２６】
この場合、連結写真画像のサムネイル画像は個別写真画像のサムネイル画像視覚的に識別可能な態様で表示されているので、利用者が連結写真画像を個別写真画像と誤って選択するのを防止することができる。そのため、個別写真画像の編集が不用意に妨げられることはない。
【００２７】
好ましくは、自動写真撮影装置はさらに、連結写真画像の中から１又は２以上の写真画像を選択する表示写真選択手段を備える。編集表示制御手段は、表示写真選択手段により選択された写真画像を表示するように編集表示装置を制御する。
【００２８】
この場合、連結写真画像を構成する全部の写真画像が表示されるのではなく、一部の写真画像が表示されるので、小さい画面領域で連結写真画像全体を編集することができる。
【００２９】
本発明による自動写真撮影方法は、カメラにより撮影されている被写体の映像をライブ映像としてリアルタイムで被写体に向けて表示するステップと、表示されている被写体のライブ映像を第１の写真画像として所定のタイミングで固定するステップと、固定された第１の写真画像を記憶手段に記憶するステップと、記憶手段から読み出された第１の写真画像をライブ映像の隣に表示するステップと、第１の写真画像の隣に表示されている被写体のライブ映像を第２の写真画像として所定のタイミングで固定するステップと、固定された第２の写真画像を記憶手段に記憶するステップと、記憶手段から読み出された第１及び第２の写真画像を印刷するステップとを備える。
【００３０】
本発明によれば、撮影済みの写真画像がライブ映像の隣に表示されるので、利用者は仕上がりをイメージしながら連結写真画像を撮影することができる。
【００３１】
本発明によるもう１つの自動写真撮影方法は、カメラにより撮影されている被写体の映像をライブ映像としてリアルタイムで被写体に向けて表示するステップと、１枚の写真画像からなる個別写真画像を取得するための個別撮影モードと、複数枚の写真画像からなる連結写真画像を取得するための連結撮影モードとを切り替えるステップと、表示されている被写体のライブ映像を写真画像として所定のタイミングで固定するステップと、個別撮影モードにおいて固定された各写真画像を個別写真画像として記憶手段に記憶するステップと、連結撮影モードにおいて固定された複数の写真画像を連結写真画像として記憶手段に記憶するステップと、記憶手段に記憶された写真画像の中から編集対象の写真画像を選択するステップと、個別写真画像が選択された場合、その選択された個別写真画像を左画面又は右画面に表示するステップと、個別写真画像が選択された場合、左画面に対応するタッチパネルの領域内への左タッチペンによる入力を許可しかつ右タッチペンによる入力を禁止し、右画面に対応するタッチパネルの領域内への右タッチペンによる入力を許可しかつ左タッチペンによる入力を禁止するステップと、連結写真画像が選択された場合、その選択された連結写真画像を左画面及び右画面に表示するステップと、連結写真画像が選択された場合、左画面に対応するタッチパネルの領域内への左及び右タッチペンによる入力を許可しかつ右画面に対応するタッチパネルの領域内への左及び右タッチペンによる入力を許可するステップと、左及び右タッチペンによる入力に応じて所望の編集画像を選択された写真画像に追加するステップと、記憶手段に記憶された写真画像と追加された編集画像とを合成して印刷するステップとを備える。
【００３２】
本発明によれば、個別写真画像については各自で編集し、連結写真画像については一緒に編集することができる。
【００３３】
本発明による自動写真撮影プログラムは、上記方法の各ステップをコンピュータに実行させる。
【図面の簡単な説明】
【００３４】
【図１】本発明の実施の形態による自動写真撮影装置の内部構成を示す断面側面図である。
【図２】図１に示した自動写真撮影装置の外観構成を示す側面図である。
【図３】図１及び図２に示した自動写真撮影装置における撮影装置の正面図である。
【図４】図１〜図３に示した自動写真撮影装置における画像編集装置の斜視図である。
【図５】図１〜図４に示した自動写真撮影装置の機能構成を示すブロック図である。
【図６】図１〜図５に示した自動写真撮影装置の全動作を示すフロー図である。
【図７】図６中の撮影処理の詳細を示すフロー図である。
【図８】図７中の個別撮影処理の詳細を示すフロー図である。
【図９】図７中の２連結撮影処理（２画面方式）の詳細を示すフロー図である。
【図１０】図９に示した２画面方式の２連結撮影処理で表示される画面を示す図である。
【図１１】図１０に示した画面の次に表示される画面を示す図である。
【図１２】図１１に示した画面の次に表示される画面を示す図である。
【図１３】図１２に示した画面の次に表示される画面を示す図である。
【図１４】図７中の２連結撮影処理（３画面方式）の詳細を示すフロー図である。
【図１５】図１４に示した３画面方式の２連結撮影処理で表示される画面を示す図である。
【図１６】図１５に示した画面の次に表示される画面を示す図である。
【図１７】図１６に示した画面の次に表示される画面を示す図である。
【図１８】図１７に示した画面の次に表示される画面を示す図である。
【図１９】図１８に示した画面の次に表示される画面を示す図である。
【図２０】図１９に示した画面の次に表示される画面を示す図である。
【図２１】図７中の３連結撮影処理の詳細を示すフロー図である。
【図２２】図２１に示した３連結撮影処理で表示される画面を示す図である。
【図２３】図２２に示した画面の次に表示される画面を示す図である。
【図２４】図２３に示した画面の次に表示される画面を示す図である。
【図２５】図６中の編集処理の詳細を示すフロー図である。
【図２６】図２５中の編集画像初期設定処理の詳細を示すフロー図である。
【図２７】図２６に示した編集画像初期設定処理で表示される画面を示す図である。
【図２８】図２７に示した画面の次に表示される画面を示す図である。
【図２９】図２５中の個別写真画像設定処理の詳細を示すフロー図である。
【図３０】図２５中の２連結写真画像設定処理の詳細を示すフロー図である。
【図３１】図３０に示した２連結写真画像設定処理で表示される画面を示す図である。
【図３２】図３１に示した画面の次に表示される画面を示す図である。
【図３３】図２５中の３連結写真画像設定処理の詳細を示すフロー図である。
【図３４】図３３に示した３連結写真画像設定処理で表示される画面を示す図である。
【図３５】図３４に示した画面の次に表示される画面を示す図である。
【図３６】図６中の印刷処理の詳細を示すフロー図である。
【図３７】図３６に示した印刷処理で表示される印刷画像選択画面を示す図である。
【図３８】図３６に示した印刷処理で設定される印刷レイアウトの一例を示す図である。
【図３９】図３６に示した印刷処理で設定される印刷レイアウトの他の例を示す図である。
【図４０】図３６に示した印刷処理で設定される印刷レイアウトのさらに他の例を示す図である。
【図４１】図３６に示した印刷処理で設定される印刷レイアウトのさらに他の例を示す図である。
【図４２】図２６と異なる編集画像初期設定処理の詳細を示すフロー図である。
【図４３】図４２に示した編集画像初期設定処理で表示される画面を示す図である。
【図４４】図３０と異なる２連結写真画像設定処理の詳細を示すフロー図である。
【図４５】図４４に示した２連結写真画像設定処理で左タッチペンで２連結写真画像が選択された場合に表示される画面を示す図である。
【図４６】図４５に示した画面の次に表示される画面を示す図である。
【図４７】図４４に示した２連結写真画像設定処理で右タッチペンで２連結写真画像が選択された場合に表示される画面を示す図である。
【図４８】図４７に示した画面の次に表示される画面を示す図である。
【図４９】図４４に示した２連結写真画像設定処理で右画面に２連結写真画像が表示されている最中に左タッチペンで２連結写真画像が選択された場合に表示される画面を示す図である。
【図５０】図４４に示した２連結写真画像設定処理で左画面に２連結写真画像が表示されている最中に右タッチペンで２連結写真画像が選択された場合に表示される画面を示す図である。
【図５１】図３３と異なる３連結写真画像設定処理の詳細を示すフロー図である。
【図５２】図５１に示した３連結写真画像設定処理で表示される３連結写真画像への変更確認画面を示す図である。
【図５３】図５２に示した画面の次に表示される画面を示す図である。
【発明を実施するための最良の形態】
【００３５】
以下、図面を参照し、本発明の実施の形態を詳しく説明する。図中同一又は相当部分には同一符号を付してその説明は繰り返さない。
【００３６】
［第１の実施の形態］
１．外観構成
図１及び図２を参照して、本発明の実施の形態による自動写真撮影装置１は、撮影を行う撮影空間２と、撮影により得られた写真画像の編集を行う編集空間３とに分かれる。撮影空間２には、撮影装置４及び背面パネル５が互いに対向して設置され、編集空間３には、画像編集装置８が撮影装置４に隣接して設置される。撮影空間２及び編集空間３はサイドカーテン９などにより外部と区分されている。
【００３７】
背面パネル５の上方よりも少し前方には、背景カーテンユニット６が装備される。背景カーテンユニット６には、複数の背景カーテン７がそれぞれ巻き取られて収納される。背景カーテン７は様々な色や柄を有し、撮影時には所望の１枚が降下され、被写体の背景を形成する。背景カーテン７はモータ等で回転されて自動的に降下されるようにしてもよいが、利用者の手動操作で引き出されて降下されるようにしてもよい。
【００３８】
自動写真撮影装置１の側面には、コインを投入するためのコイン投入口３１と、撮影空間２で撮影しかつ編集空間３で編集した画像をシール紙に印刷して排出するプリント排出口５１とが設けられる。
【００３９】
この自動写真撮影装置１を利用する場合、まず利用者はコイン投入口３１にコインを投入する。コインを受け付けると、自動写真撮影装置１は利用可能な状態にあればその旨を案内する。利用者はその案内に従って、開放されている後方側面から撮影空間２に入り、撮影装置４に向かって撮影操作を行う。撮影終了後、利用者は編集空間３に移動し、今度は画像編集装置８に向かって画像編集操作、具体的には、フレーム、スタンプ、ペン書きの文字や図形などの編集画像を入力する。
【００４０】
図３を参照して、撮影装置４の正面中央にはカメラ１０が設けられ、その下方にはモニタ表示装置１１が設けられ、さらにそれらの周りには照明装置１３が設けられる。
【００４１】
カメラ１０は利用者を被写体として撮影するもので、一般にデジタルカメラが用いられる。カメラ１０は複数台設けたり、移動や角度調節をできるようにしたりしてもよい。
【００４２】
モニタ表示装置１１は、カメラ１０で撮影されている映像をライブ映像としてリアルタイムで利用者に向けて表示する。さらに、その画面上には透明なタッチパネル１２（図５参照）が貼り付けられており、モニタ表示装置１１は、タッチパネル１２に対する利用者の入力操作を受け付ける。
【００４３】
照明装置１３は、カメラ１０の上下左右及び天井に設けられ、被写体を前方から照明する。照明装置１３はその内部に、蛍光灯などの常灯照明と、ストロボなどの閃光照明（フラッシュ）とを有する。ストロボは、利用者から撮影の開始が指示され、カメラ１０が撮影している映像を静止画として取り込む瞬間に発光し、被写体を強く照明する。照明装置は上記以外に、被写体の側方及び後方にも設けられ、被写体をあらゆる方向から照明する。
【００４４】
図４を参照して、画像編集装置８は撮影装置４と背中合わせに設置される。画像編集装置８は、撮影装置４で得られた写真画像を編集処理するための装置である。画像編集装置８の正面中央には編集表示装置４０が設けられる。
【００４５】
編集表示装置４０は、カメラ１０で撮影された写真画像の中から選択された１又は複数の写真画像を表示する。さらに、その画面上には透明なタッチパネル４１（図５参照）が貼り付けられており、編集表示装置４０は、タッチパネル４１に対する利用者の編集操作を受け付ける。編集表示装置４０の両側には、編集画像をタッチパネル４１上で入力するための左タッチペン４２Ｌ及び右タッチペン４２Ｒが設けられる。画像編集装置８は、利用者の編集操作に応じて写真画像に対して画像編集処理を実行する。
【００４６】
編集終了後、自動写真撮影装置１は編集画像と写真画像の合成画像をシール紙に印刷してプリント排出口５１から排出し、利用者に提供する。
【００４７】
２．機能構成
図５を参照して、自動写真撮影装置１は、撮影処理を実行する撮影用コンピュータ装置１０１ａと、画像編集処理を実行する画像編集用コンピュータ装置１０１ｂと、動作中のコンピュータ装置１０１ａ，１０１ｂからの指示を受け付けて、接続されている各種装置を制御する制御基板１０２とを備える。撮影用コンピュータ装置１０１ａと画像編集用コンピュータ装置１０１ｂとは互いに接続され、画像データなどの授受をピアツーピアで行う。これらは自動写真撮影装置１の制御手段として機能する。
【００４８】
コンピュータ装置１０１ａ，１０１ｂは、ＣＰＵ(Central Processing Unit)１０３ａ，１０３ｂと、本装置に所定の処理を実行させるための制御プログラム、処理に必要なグラフィックデータ、音声データ、撮影された写真画像、入力された編集画像を記憶するハードディスクドライブ（ＨＤＤ）１０４ａ，１０４ｂ、制御プログラムの一時的な作業領域となるメモリ１０５ａ，１０５ｂとを含む。
【００４９】
撮影用コンピュータ装置１０１ａは、撮影空間２での撮影処理を実行する。具体的には、撮影処理のプログラムの実行や、利用者の指等のタッチによりタッチパネル１２で受け付けた入力操作にしたがった指示信号に基づいて、制御基板１０２に対して制御信号を送信する。また、撮影用コンピュータ装置１０１ａは、カメラ１０、モニタ表示装置１１、制御基板１０２と接続され、それらを制御する。
【００５０】
画像編集用コンピュータ装置１０１ｂは、編集空間３での画像編集処理及び印刷処理を実行する。具体的には、画像編集用コンピュータ装置１０１ｂは、制御プログラムを実行し、タッチパネル４１に対するタッチペン４２Ｌ，４２Ｒによる入力操作に応じて制御信号を制御基板１０２に送信する。画像編集用コンピュータ装置１０１ｂは、プリンタ５５、編集表示装置４０、制御基板１０２に接続され、それらを制御する。
【００５１】
画像編集用コンピュータ装置１０１ｂ内のＨＤＤ１０４ｂは、制御プログラムを記憶する。ＨＤＤ１０４ｂはまた、後述する画像編集処理に利用する背景画像、スタンプ画像等を記憶する。
【００５２】
プリンタ５５は、写真画像に編集画像を合成した合成画像をシール紙等の印刷媒体に印刷する。この実施の形態のプリンタ５５は画像をシール紙に印刷するが、印刷媒体はシール紙に限定されることなく、他の印刷媒体でもよい。
【００５３】
タッチパネル１２は、モニタ表示装置１１の上に積層されている。タッチパネル１２は、利用者の指等の接触を検知し、それに応じた指示信号を撮影用コンピュータ装置１０１ａに送信する。モニタ表示装置１１は、撮影用コンピュータ装置１０１ａから送信された画像、具体的には、カメラ１０で撮像された写真画像、撮影のための案内、選択肢など表示する。
【００５４】
タッチパネル４１は、編集表示装置４０の上に積層されている。タッチパネル４１は、左及び右タッチペン４２Ｌ，４２Ｒの接触を検知し、それに応じた指示信号を画像編集用コンピュータ装置１０１ｂに送信する。編集表示装置４０は、画像編集用コンピュータ装置１０１ｂから送信された編集画像を写真画像上に重ねて表示する。
【００５５】
制御基板１０２は、コンピュータ装置１０１ａ，１０１ｂの他に、ストロボ制御部１１０、ストロボ１５、蛍光灯１４、サービスパネル１１３、印刷中ＬＥＤ５２、印刷エラーＬＥＤ５３、コイン制御部１１２、及び音声制御部１１１に接続される。
【００５６】
ストロボ制御部１１０はカメラ１０に接続され、カメラ１０のシャッタタイミングに応じて発光するようにストロボ１５を制御する。音声制御部１１１は制御基板１０２を介して撮影用コンピュータ装置１０１ａ及び画像編集用コンピュータ装置１０１ｂに接続される。撮影用スピーカ１６は、撮影空間２に配備され、撮影用コンピュータ装置１０１ａから制御基板１０２を介して与えられる指示信号に基づいて、撮影プレイのための操作方法などの案内やＢＧＭなどを出力する。編集用スピーカ４６は、編集空間３に配備され、画像編集用コンピュータ装置１０１ｂから制御基板１０２を介して与えられる指示信号に基づいて、編集プレイのための操作方法などの案内やＢＧＭなどを出力する。
【００５７】
なお、画像編集装置８は、上記構成のうち、少なくとも画像編集用コンピュータ装置１０１ｂと、編集表示装置４０と、タッチパネル４１と、タッチペン４２Ｌ，４２Ｒとを備える。
【００５８】
３．動作
上述した自動写真撮影装置１の動作は概略次の通りである。
【００５９】
図６を参照して、まず、撮影用コンピュータ装置１０１ａは、撮影空間２においてカメラ１０で被写体を撮影して写真画像を得る撮影処理を実行する（Ｓ１０）。次に、画像編集用コンピュータ装置１０１ｂは、編集空間３において利用者の入力操作に応じて写真画像を編集する編集処理を実行する（Ｓ２０）。最後に、画像編集用コンピュータ装置１０１ｂはプリンタ５５を制御し、編集された写真画像をシール紙に印刷する印刷処理を実行する（Ｓ３０）。以下、撮影処理、編集処理及び印刷処理の詳細を順に説明する。
【００６０】
３−１．撮影処理
まず、撮影空間２での自動写真撮影装置１の動作を説明する。撮影用コンピュータ装置１０１ａのＣＰＵ１０３ａは、ＨＤＤ１０４ａに記憶されたコンピュータプログラムをメモリ１０５ａに読出して実行することにより、この撮影処理を実現する。
【００６１】
図７を参照して、ＣＰＵ１０３ａは、自動写真撮影装置１の利用を促すタイトルデモ画面をモニタ表示装置１１に表示し（Ｓ１０１）、その間にコイン制御部１１２においてコインの投入を監視する（Ｓ１０２）。タイトルデモ画面の表示中に所定枚数のコインが投入されると（Ｓ１０２でＹＥＳ）、ＣＰＵ１０３ａは、装飾画像選択画面をモニタ表示装置１１に表示する（Ｓ１０３）。装飾画像選択画面には、あらかじめ用意された複数種類の装飾画像（フレームなど）が表示され、利用者に所望の装飾画像を選択するよう促される。装飾画像には、通常の個別フレーム、２連結フレーム、３連結フレームなどがある。個別フレームは１枚の写真画像の周縁に前景として合成され、２連結フレームは２枚の写真画像全体の周縁に前景として合成され、３連結フレームは３枚の写真画像全体の周縁に前景として合成される。装飾画像は上記のような写真画像の周縁に前景として合成されるフレームに限定されるものではなく、連結することによって複数の写真画像が一体的に見えるような装飾画像であればよい。たとえば、装飾画像は複数の写真画像全体の前景として合成される装飾スタンプや文字などの画像であってもよいし、複数の写真画像全体の後景として合成される背景画像などであってもよいし、それら連結装飾画像の組み合わせであってよい。
【００６２】
ＣＰＵ１０３ａは２連結装飾画像の選択を検知すると（Ｓ１０４でＹＥＳ）、後述する２連結撮影処理を実行する（Ｓ１０５）。ＣＰＵ１０３ａは３連結装飾画像の選択を検知すると（Ｓ１０６でＹＥＳ）、後述する３連結撮影処理を実行する（Ｓ１０７）。ＣＰＵ１０３ａは２連結装飾画像の選択も３連結装飾画像の選択も検知しないと（Ｓ１０４及びＳ１０６でＮＯ）、後述する通常の個別撮影処理を実行する（Ｓ１０８）。
【００６３】
利用者は、モニタ表示装置１１に表示される案内に従って複数回の撮影を行う。ＣＰＵ１０３ａは、撮影回数が所定回数に達したか否かを判定する（Ｓ１０９）。所定回数撮影していない場合（Ｓ１０９でＮＯ）、ＣＰＵ１０３ａはステップＳ１０３に戻って撮影を繰り返す。一方、所定回数撮影した場合（Ｓ１０９でＹＥＳ）、ＣＰＵ１０３ａは、撮影で得られた複数の写真画像のデータを画像編集用コンピュータ装置１０１ｂに転送する（Ｓ１１０）。ＣＰＵ１０３ａは編集空間３で画像編集するよう促す案内をモニタ表示装置１１に表示した後、ステップＳ１０１に戻って再びタイトルデモ画面を表示する。
【００６４】
ここでは撮影回数を制限しているが、撮影時間を制限するようにしてもよい。また、所定回数撮影した後にまだ所定の撮影制限時間が余っている場合や、編集空間３で前の利用者がまだ落書きをしている場合は、それらが終了するまで撮影プレイを行えるようにしてもよい。
【００６５】
３−１−１．個別撮影処理
次に、個別撮影処理（Ｓ１０８）の詳細を図８を参照して説明する。
【００６６】
個別フレームが選択されるか、装飾画像が何も選択されない場合、ＣＰＵ１０３ａは撮影モードを個別撮影モードに切り替える（Ｓ１１１）。個別フレームが選択されている場合、ＣＰＵ１０３ａはその選択された個別フレームをモニタ表示装置１１に表示する（Ｓ１１３）。
【００６７】
モニタ表示装置１１は、カメラ１０で撮影されている被写体の映像をライブ映像としてリアルタイムで表示する（Ｓ１１４）。利用者がシャッタボタンを押すと、ＣＰＵ１０３ａはカウントダウンを開始し、所定時間経過後にモニタ表示装置１１に表示されている被写体のライブ映像を写真画像として固定する（Ｓ１１５）。ＣＰＵ１０３ａはこのシャッタ動作で固定された写真画像に属性を付与し（Ｓ１１６）、写真画像をその属性とともにメモリ１０５ａに格納する（Ｓ１１７）。属性としては、ここで選択されたフレームの識別番号などが用いられる。
【００６８】
３−１−２．２連結撮影処理
次に、２連結撮影処理（Ｓ１０５）の詳細を図９を参照して説明する。
【００６９】
２連結装飾画像が選択された場合、ＣＰＵ１０３ａは撮影モードを２連結撮影モードに切り替える（Ｓ１２１）。たとえば２連結フレームが選択されている場合、図１０に示すように、ＣＰＵ１０３ａはその選択された２連結フレーム１８をモニタ表示装置１１の左右両画面２０Ｌ，２０Ｒに表示するとともに、カメラ１０で撮影されている被写体のライブ映像１９を左画面２０Ｌにのみ表示する（Ｓ１２２）。ライブ映像１９の上方には「ライブ表示中」などの案内が表示される。
【００７０】
利用者がシャッタボタンを押すと、ＣＰＵ１０３ａはモニタ表示装置１１に表示されている被写体のライブ映像１９を写真画像として固定し（Ｓ１２３）、その写真画像に属性を付与し（Ｓ１２４）、写真画像をその属性とともにメモリ１０５ａに格納する（Ｓ１２５）。属性としては、ここで選択された２連結フレーム１８の識別番号、写真画像が合成されるべき２連結フレーム１８内の位置（本例では「左」）などが用いられる。
【００７１】
このように２連結フレーム１８がライブ映像１９上に前景として表示されるので、利用者は２連結フレーム１８の位置を考慮しながら写真撮影を行うことができる。
【００７２】
１枚目の撮影終了後、ＣＰＵ１０３ａは、図１１に示すように、ライブ映像１９から写真画像２１Ｌに切り替える（Ｓ１２６）。
【００７３】
所定時間経過後、ＣＰＵ１０３ａは、図１２に示すように、写真画像２１Ｌを左画面２０Ｌに表示したまま、カメラ１０で撮影されている被写体のライブ映像１９を右画面２０Ｒに表示する（Ｓ１２７）。したがって、利用者は、今作成しようとしている２連結写真画像全体の仕上がりをイメージすることができる。
【００７４】
利用者がシャッタボタンを押すと、ＣＰＵ１０３ａはモニタ表示装置１１に表示されている被写体のライブ映像１９を写真画像として固定し（Ｓ１２８）、その写真画像に属性を付与し（Ｓ１２９）、写真画像をその属性とともにメモリ１０５ａに格納する（Ｓ１３０）。属性としては、ここで選択された２連結フレーム１８の識別番号、写真画像が合成されるべき２連結フレーム１８内の位置（本例では「右」）などが用いられる。２枚目の撮影終了後、ＣＰＵ１０３ａは、図１３に示すように、ライブ映像１９を写真画像２１Ｒに切り替えて表示する（Ｓ１３１）。
【００７５】
上記２連結撮影処理によれば、ライブ映像１９の隣に撮影済みの写真画像２１Ｌが表示されるので、利用者は仕上がりをイメージしながら２連結写真画像を簡単に撮影することができる。ここでは向かって左の写真画像を先に撮影しているが、右の写真画像を撮影した後に左の写真画像を撮影するようにしてもよい。
【００７６】
また、上記２連結撮影処理はライブ映像及び写真画像を左右２画面に表示する２画面方式であるが、左、中央及び右の３画面に表示する３画面方式でもよい。以下、３画面方式の２連結撮影処理の詳細を図１４を参照して説明する。
【００７７】
２連結装飾画像が選択された場合、ＣＰＵ１０３ａは撮影モードを２連結撮影モードに切り替える（Ｓ１４１）。たとえば２連結フレームが選択されている場合、図１５に示すように、ＣＰＵ１０３ａはその選択された２連結フレーム１８をモニタ表示装置１１の中央及び右画面２０Ｍ，２０Ｒに表示するとともに、カメラ１０で撮影されている被写体のライブ映像１９を中央画面２０Ｍに表示する（Ｓ１４２）。これと同時に、ＣＰＵ１０３ａは、操作方法を示す案内画像２２を左画面２０Ｌに表示する（Ｓ１４２）。
【００７８】
利用者がシャッタボタンを押すと、ＣＰＵ１０３ａはカウントダウンを開始し、図１６に示すように、その旨を示す案内画像２２に変更する（Ｓ１４３）。所定時間経過後に、ＣＰＵ１０３ａは、モニタ表示装置１１に表示されている被写体のライブ映像１９を写真画像として固定し（Ｓ１４４）、その写真画像に属性を付与し（Ｓ１４５）、写真画像をその属性とともにメモリ１０５ａに格納する（Ｓ１４６）。属性としては、ここで選択された２連結フレーム１８の識別番号、写真画像が合成されるべき２連結フレーム１８内の位置（本例では「左」）などが用いられる。１枚目の撮影終了後、ＣＰＵ１０３ａは、図１７に示すように、ライブ映像１９から写真画像２１Ｌに切り替える（Ｓ１４７）。
【００７９】
所定時間経過後、ＣＰＵ１０３ａは、図１８に示すように、２連結フレーム１８を左にシフトし、モニタ表示装置１１の左及び中央画面２０Ｌ，２０Ｍに表示するとともに、カメラ１０で撮影されている被写体のライブ映像１９を中央画面２０Ｍに再び表示する（Ｓ１４８）。これと同時に、ＣＰＵ１０３ａは案内画像２２を左画面２０Ｌの代わりに右画面２０Ｒに表示する（Ｓ１４８）。したがって、上記２画面方式の場合と同様に、利用者は、今作成しようとしている２連結写真画像全体の仕上がりをイメージすることができる。
【００８０】
利用者がシャッタボタンを押すと、ＣＰＵ１０３ａはカウントダウンを開始し、図１９に示すように、その旨を示す案内画像２２に変更する（Ｓ１４９）。所定時間経過後に、ＣＰＵ１０３ａは、モニタ表示装置１１に表示されている被写体のライブ映像１９を写真画像として固定し（Ｓ１５０）、その写真画像に属性を付与し（Ｓ１５１）、写真画像をその属性とともにメモリ１０５ａに格納する（Ｓ１５２）。属性としては、ここで選択された２連結フレーム１８の識別番号、写真画像が合成されるべき２連結フレーム１８内の位置（本例では「右」）などが用いられる。２枚目の撮影終了後、ＣＰＵ１０３ａは、図２０に示すように、ライブ映像１９から写真画像２１Ｒに切り替える（Ｓ１５３）。
【００８１】
上記３画面方式の２連結撮影処理によれば、ライブ映像１９が常に同じ中央画面２０Ｍに表示されるので、利用者はカメラ１０に対する方向を変えることなく、常に同じ方向を見ながら撮影できる。また、写真画像２１Ｌが案内画像２２の代わりに表示され、案内画像２２がライブ映像１９の右隣に表示されるので、モニタ表示装置１１の画面領域を有効に活用しながら利用者に操作方法を案内することができる。また、常にライブ映像１９の真上にカメラ１０が位置することになるので、利用者は常に真正面を向きながら撮影できる。
【００８２】
３−１−３．３連結撮影処理
次に、３連結撮影処理（Ｓ１０７）の詳細を図２１を参照して説明する。
【００８３】
３連結装飾画像が選択された場合、ＣＰＵ１０３ａは撮影モードを３連結撮影モードに切り替え（Ｓ１６１）、図２２に示すように、その選択された３連結装飾画像２４をモニタ表示装置１１の左、中央及び右画面２０Ｌ，２０Ｍ，２０Ｒに表示する（Ｓ１６２）。
【００８４】
続いて、３つの撮影領域のうち所望の撮影領域を利用者が手で軽く触れると、ＣＰＵ１０３ａはタッチパネル１２により所望の撮影領域の指定を受け付け（Ｓ１６３）、その指定された撮影領域にカメラ１０で撮影されている被写体のライブ映像１９を表示する（Ｓ１６４）。本例では最初に左の撮影領域が指定されているので、図２２に示すようにライブ映像１９は左画面２０Ｌに表示される。
【００８５】
利用者がシャッタボタンを押すと、ＣＰＵ１０３ａはカウントダウンを開始し、所定時間経過後にモニタ表示装置１１に表示されている被写体のライブ映像１９を写真画像として固定し（Ｓ１６５）、その写真画像に属性を付与し（Ｓ１６６）、写真画像をその属性とともにメモリ１０５ａに格納する（Ｓ１６７）。属性としては、ここで選択された３連結装飾画像２４の識別番号、写真画像が合成されるべき３連結装飾画像２４内の位置（本例では最初は「左」）などが用いられる。
【００８６】
撮影終了後、ＣＰＵ１０３ａはライブ映像１９から写真画像に切り替える（Ｓ１６８）。本例では最初に左の撮影領域で写真撮影が行われるので、左画面２０Ｌに表示されているライブ映像１９は図２３に示すように写真画像２１Ｌに切り替えられる。
【００８７】
続いて、ＣＰＵ１０３ａは全ての撮影領域で写真撮影を行ったか否かを判別し（Ｓ１６８）、写真撮影をまだ行っていない撮影領域が残っている場合（Ｓ１６８でＮＯ）、ステップＳ１６３に戻って上記の処理を繰り返す。本例では２番目に中央の撮影領域で写真撮影が行われるので、図２３に示すようにライブ映像１９は中央画面２０Ｍに表示され、そのライブ映像１９は図２４に示すように写真画像２１Ｍに切り替えられる。そして、最後に右の撮影領域で写真撮影が行われるので、図２４に示すようにライブ映像１９は右画面２０Ｒに表示される。
【００８８】
上記３連結撮影処理によれば、ライブ映像１９の隣に撮影済みの写真画像２１Ｌ，２１Ｍが表示されるので、利用者は仕上がりをイメージしながら３連結写真画像を簡単に撮影することができる。本例では向かって左の撮影領域から順に撮影しているが、利用者は所望の撮影領域を手で触れることで好みの順に写真撮影を進めることができる。また、写真撮影の順番は利用者が任意に決めるのではなく、あらかじめ決められていてもよい。
【００８９】
以上ではライブ映像及び写真画像を水平方向に並べて表示しているが、垂直方向又は斜め方向に並べて表示したり、あるいはマトリックスに並べて表示したりしてもよい。全ての画面に画像を表示してもよいが、タッチパネルで選択された画面のみに画像を表示してもよい。
【００９０】
上記のように、連結する装飾画像を同時に並べて表示しながら撮影することによって撮影時に利用者は撮影位置の位置決めを行い易く、バランスのとれた写真を作成することができる。
【００９１】
３−２．編集処理
次に、編集空間３での自動写真撮影装置１の動作を説明する。画像編集用コンピュータ装置１０１ｂのＣＰＵ１０３ｂはＨＤＤ１０４ｂに記憶された制御プログラムをメモリ１０５ｂに読出して実行することにより、編集処理を実現する。
【００９２】
図２５を参照して、ＣＰＵ１０３ｂは、撮影プレイから始めるよう促す待機画面を編集表示装置４０に表示する（Ｓ２０１）。図７に示した撮影処理が終了すると、撮影用コンピュータ装置１０１ａから画像編集用コンピュータ装置１０１ｂに写真画像のデータが転送されて来るので、画像編集用コンピュータ装置１０１ｂはこれを受信する（Ｓ２０２）。続いて、ＣＰＵ１０３ｂは、編集表示装置４０に編集画面（ペン、スタンプ、消しゴム等の落書きツール、撮影された写真画像のサムネイル画像など）を表示する（Ｓ２０３）。以下では、撮影された写真画像を表示し、利用者はタッチペン４２Ｌ，４２Ｒを使って写真画像に好みの落書きをする。
【００９３】
ＣＰＵ１０３ｂはまず、編集画像初期設定処理を実行する（Ｓ２０４）。後に詳述するが、この処理では編集対象として自動的に選択された個別写真画像が表示される。利用者が写真画像に落書きを行い、タッチペン４２Ｌ，４２Ｒにより編集画像が入力されると（Ｓ２０５でＹＥＳ）、ＣＰＵ１０３ｂはその編集画像をメモリ１０５ｂに格納する（Ｓ２０６）。また、タッチペン４２Ｌ，４２Ｒにより通常の個別写真画像が選択されると（Ｓ２０７でＹＥＳ）、ＣＰＵ１０３ｂは個別写真画像設定処理を実行する（Ｓ２０８）。後に詳述するが、この処理では利用者が編集対象として選択した個別写真画像が表示される。また、タッチペン４２Ｌ，４２Ｒにより２連結写真画像が選択されると（Ｓ２０９でＹＥＳ）、ＣＰＵ１０３ｂは２連結写真画像設定処理を実行する（Ｓ２１０）。後に詳述するが、この処理では利用者が編集対象として選択した２連結写真画像が表示される。また、タッチペン４２Ｌ，４２Ｒにより３連結写真画像が選択されると（Ｓ２１１でＹＥＳ）、ＣＰＵ１０３ｂは３連結写真画像設定処理を実行する（Ｓ２１２）。後に詳述するが、この処理では利用者が編集対象として選択した３連結写真画像が表示される。そして、所定の編集時間が経過すると（Ｓ２１３でＹＥＳ）、編集処理は終了する。
【００９４】
３−２−１．編集画像初期設定処理
次に、編集画像初期設定処理（Ｓ２０４）の詳細を図２６を参照して説明する。
【００９５】
ＣＰＵ１０３ｂは、撮影された複数の写真画像の中から、あらかじめ定められた規則（たとえば撮影順序）に従って２枚の個別写真画像を編集対象として選択し、図２７に示すように、上記ステップＳ２０３で表示された編集画面２５内の左画面２６Ｌに１枚の個別写真画像２７を表示し（Ｓ２２１）、右画面２６Ｒにもう１枚の個別写真画像２７を表示する（Ｓ２２２）。
【００９６】
左側の個別写真画像２７の左方及び右側の個別写真画像２７の右方には、撮影された複数の個別写真画像のサムネイル画像３０が並んで表示され、編集対象として選択された個別写真画像のサムネイル画像３０には「らくがき中」と表示される。また、個別写真画像２７の上側には、撮影された２連結写真画像のサムネイル画像３２及び３連結写真画像のサムネイル画像３４が互いに中央に寄せて表示される。このように連結写真画像のサムネイル画像３２，３４は個別写真画像のサムネイル画像３０から離れており、異なる位置にあるので、利用者が連結写真画像を個別写真画像と誤って選択するのを防止することができる。ここでは連結写真画像のサムネイル画像３２，３４を個別写真画像のサムネイル画像３０から離れた位置に配置することでサムネイル画像の種類を視覚的に識別可能にしているが、サムネイル画像の種類ごとに領域を色分けしたり、線引きしたりしてもよい。
【００９７】
続いて、ＣＰＵ１０３ｂは、左タッチペン４２Ｌによる左画面２６Ｌへの入力を許可し（Ｓ２２３）、右タッチペン４２Ｒによる右画面２６Ｒへの入力を許可する（Ｓ２２４）。また、ＣＰＵ１０３ｂは、左タッチペン４２Ｌによる右画面２６Ｒへの入力を禁止し（Ｓ２２５）、右タッチペン４２Ｒによる左画面２６Ｌへの入力を禁止する（Ｓ２２６）。これにより、図２８に示すように、左側の利用者は左タッチペン４２Ｌを用いて左側の個別写真画像２７に落書きをすることはできるが、右側の個別写真画像２７に落書きをすることはできない。一方、右側の利用者は右タッチペン４２Ｒを用いて右側の個別写真画像２７に落書きをすることはできるが、左側の個別写真画像２７に落書きをすることはできない。
【００９８】
３−２−２．個別写真画像設定処理
次に、個別写真画像設定処理（Ｓ２０８）の詳細を図２９を参照して説明する。
【００９９】
上記編集画像初期設定処理は初期の編集画面２５で表示すべき個別写真画像２７を自動的に設定するための処理であるが、この個別写真画像設定処理は利用者の選択操作に応じて所望の個別写真画像２７を表示するための処理である。
【０１００】
個別写真画像のサムネイル画像３０がタッチペン４２Ｌ，４２Ｒでタッチされた場合（Ｓ２０７でＹＥＳ）、ＣＰＵ１０３ｂはまず、後述する連結写真画像設定処理（Ｓ２１０，２１２）により連結写真画像が現在表示されているか否かを判別する（Ｓ２３１）。連結写真画像が表示されている場合（Ｓ２３１でＹＥＳ）、ＣＰＵ１０３ｂはその連結写真画像の表示を中止してもよいか否かを利用者に確認する確認画面を表示する（Ｓ２３２）。利用者が表示された「ＯＫ」ボタンにタッチすれば（Ｓ２３３のＹＥＳ）、ＣＰＵ１０３ｂは表示されている連結写真画像をクリアする（Ｓ２３４）。
【０１０１】
連結写真画像が表示されていない場合（Ｓ２３１でＮＯ）又は連結写真画像のクリア（Ｓ２３４）後、ＣＰＵ１０３ｂはサムネイル画像３０の選択にどちらのタッチペン４２Ｌ又は４２Ｒが用いられたかを判別する（Ｓ２３５）。左タッチペン４２Ｌが用いられた場合、ＣＰＵ１０３ｂは選択された個別写真画像を左画面２６Ｌに表示し（Ｓ２３６）、左タッチペン４２Ｌによる右画面２６Ｒへの入力を禁止する（Ｓ２３７）。一方、右タッチペン４２Ｒが用いられた場合、ＣＰＵ１０３ｂは選択された個別写真画像を右画面２６Ｒに表示し（Ｓ２３８）、右タッチペン４２Ｒによる左画面２６Ｌへの入力を禁止する（Ｓ２３７）。これにより、その前に連結写真画像が表示されていた場合であっても、左右の各利用者は反対側の個別写真画像に落書きできなくなる。
【０１０２】
３−２−３．２連結写真画像設定処理
次に、２連結写真画像設定処理（Ｓ２１０）の詳細を図３０を参照して説明する。
【０１０３】
２連結写真画像のサムネイル画像３２がタッチペン４２Ｌ又は４２Ｒでタッチされた場合（Ｓ２０９でＹＥＳ）、ＣＰＵ１０３ｂはまず、２連結写真画像を表示してもよいか否かを利用者に確認する確認画面を表示する（Ｓ２４１）。利用者が表示された「ＯＫ」ボタンにタッチすれば（Ｓ２４２でＹＥＳ）、図３１に示すように、ＣＰＵ１０３ｂは選択された２連結写真画像２８Ｌ，２８Ｒを左右両画面２６Ｌ，２６Ｒに表示する（Ｓ２４３）。両写真画像２８Ｌ，２８Ｒの間には間隔はなく、それらの辺は中央で互いに接触している。そして、連結フレーム１８は両写真画像２８Ｌ，２８Ｒにまたがって表示される。
【０１０４】
続いて、ＣＰＵ１０３ｂは、左右両タッチペン４２Ｌ，４２Ｒによる左右両画面２６Ｌ，２６Ｒへの入力を許可する（Ｓ２４４）。これにより、図３２に示すように、左側の利用者は左タッチペン４２Ｌを用いて左側の写真画像２８Ｌだけでなく、右側の写真画像２８Ｒにも落書きをすることができる。また、右側の利用者は右タッチペン４２Ｒを用いて右側の写真画像２８Ｒだけでなく、左側の写真画像２８Ｌにも落書きをすることができる。すなわち、利用者は２人で一緒に連結写真画像２８Ｌ，２８Ｒに落書きをすることができる。
【０１０５】
また、写真画像２８Ｌ，２８Ｒ間の境界をまたいで落書きをすることができるので、仕上がった２枚の写真画像２８Ｌ，２８Ｒに一体感が生じる。そして、利用者が写真画像２８Ｌ，２８Ｒをそれぞれ持てば、利用者同士に連帯感が生じる。そのため、集客効果も向上する。
【０１０６】
３−２−４．３連結写真画像設定処理
次に、３連結写真画像設定処理（Ｓ２１２）の詳細を図３３を参照して説明する。
【０１０７】
３連結写真画像のサムネイル画像３４がタッチペン４２Ｌ又は４２Ｒでタッチされた場合（Ｓ２１１でＹＥＳ）、ＣＰＵ１０３ｂはまず、３連結写真画像を表示してもよいか否かを利用者に確認する確認画面を表示する（Ｓ２５１）。利用者が表示された「ＯＫ」ボタンにタッチすれば（Ｓ２５２でＹＥＳ）、図３４に示すように、ＣＰＵ１０３ｂは選択された３連結写真画像のうち左の写真画像３６Ｌ及び中央の写真画像３６Ｍをそれぞれ左右両画面２６Ｌ，２６Ｒに表示する（Ｓ２５３）。続いて、ＣＰＵ１０３ｂは、左右両タッチペン４２Ｌ，４２Ｒによる左右両画面２６Ｌ，２６Ｒへの入力を許可する（Ｓ２５３）。
【０１０８】
このとき、右画面２６Ｒの上方には右ボタン３８Ｒが表示される。利用者がタッチペン４２Ｌ又は４２Ｒで右ボタン３８Ｒに触れると（Ｓ２５４でＹＥＳ）、ＣＰＵ１０３ｂは３連結写真画像を右方向にシフトし、図３５に示すように、３連結写真画像のうち中央の写真画像３６Ｍ及び右の写真画像３６Ｒをそれぞれ左右両画面２６Ｌ，２６Ｒに表示する（Ｓ２５５）。このとき、左画面２６Ｌの上方には左ボタン３８Ｌが表示される。利用者がタッチペン４２Ｌ又は４２Ｒで左ボタン３８Ｌに触れると（Ｓ２５６でＹＥＳ）、ＣＰＵ１０３ｂは３連結写真画像を左方向にシフトし、再び図３４に示すように、３連結写真画像のうち左の写真画像３６Ｌ及び中央の写真画像３６Ｍをそれぞれ左右両画面２６Ｌ，２６Ｒに表示する（Ｓ２５７）。このように３連結写真画像の中から２枚の写真画像が選択的に表示されるので、小さい画面領域で３連結写真画像全体に落書きをすることができる。
【０１０９】
３−３．印刷処理
図３６を参照して、編集処理が終了すると、ＣＰＵ１０３ｂは、図３７に示すように、編集表示装置４０に撮影処理で得られた写真画像と編集処理で作成された編集画像とを重ねた合成画像を複数枚並べて表示し、表示された合成画像の中から印刷したい画像を選択するよう利用者に促す（Ｓ３０１）。ＣＰＵ１０３ｂは、利用者の選択操作に応じて印刷すべき画像を確定する。この選択画面において、連結写真画像は一体的に表示し、連結写真画像を構成する複数の写真画像を同時に選択可能にするのが好ましい。
【０１１０】
印刷すべき画像を確定後、ＣＰＵ１０３ｂは、利用者の選択操作に応じて印刷レイアウトを選択し（Ｓ３０２）、選択された印刷レイアウトで合成画像をシール紙にプリンタ５５で印刷する（Ｓ３０３）。以上の結果、製造された写真シールはプリント排出口５１から利用者に提供される。
【０１１１】
２連結写真画像を含む複数の画像を利用者２人で切り分ける場合に適した印刷レイアウトの例を図３８に示す。上半分ａには１人分の画像がまとめて配置され、下半分ｂにはもう１人分の画像がまとめて配置される。２連結写真画像の写真画像Ａ１及びＡ２はともに１人分の領域に配置される。左半分には２連結写真画像がまとめて配置され、右半分には個別写真画像Ｃ，Ｄがまとめて配置される。シール紙６０の中央には、画像を切り分けし易いように切り取り線６２が横方向に描かれている。また、連結写真画像の領域と個別写真画像の領域との間には間隔がおかれている。
【０１１２】
３連結写真画像を含む複数の画像を利用者２人で切り分ける場合に適した印刷レイアウトの例を図３９に示す。３連結写真画像の写真画像Ｂ１、Ｂ２及びＢ３はいずれも１人分の領域に配置される。左４分の３には３連結写真画像がまとめて配置され、右４分の１には個別写真画像Ｃがまとめて配置される。
【０１１３】
また、図４０に示すように、連結写真画像内の写真画像Ａ１及びＡ２間の境界には線を入れず、周縁部６４に目安線６６を入れるだけにしてもよい。このようにすることで、連結写真画像を切り分けて使うことも、切り分けないでそのまま一体的に使うこともできる。
【０１１４】
また、図４１に示すように、２連結写真画像と３連結写真画像の両方を一緒に配置してもよい。この印刷レイアウトの場合も同様に、上半分ａには１人分の画像がまとめて配置され、下半分ｂにはもう１人分の画像がまとめて配置される。左側には２連結写真画像がまとめて配置され、中央には３連結写真画像がまとめて配置され、右側には個別写真画像がまとめて配置される。シール紙６０の中央には、画像を切り分けし易いように切り取り線６２が横方向に描かれている。また、２連結写真画像の領域と３連結写真画像の領域との間、３連結写真画像の領域と個別写真画像の領域との間には、それぞれ間隔がおかれている。
【０１１５】
ここでは２人用の印刷レイアウトを例示したが、３人用又はそれ以上の場合は人数に応じて１人分の領域を繰り返し配置すればよい。また、連結写真画像を構成する複数の写真画像を隣接して配置する必要はなく、バラバラに配置してもよい。この場合、バラバラに切り離された写真画像をパズルのように合わせて遊ぶことができる。
【０１１６】
［第２の実施の形態］
上記第１の実施の形態は２枚の個別写真画像も１枚の連続写真画像も２画面に表示しているため、一方の利用者が連続写真画像を選択すると、他方の利用者は個別写真画像への落書きを中断せざるを得ないという問題がある。以下に詳述する第２の実施の形態は、この問題を解決するためのものである。この実施の形態では、編集表示装置に横長のワイド型を用いるのが好ましい。
【０１１７】
まず、図２６に示した編集画像初期設定処理の代わりに、図４２に示した編集画像初期設定処理を実行する。すなわち、ＣＰＵ１０３ｂは、撮影された複数の写真画像の中から２枚の個別写真画像を編集対象として選択し、図４３に示すように、左画面２６Ｌに１枚の個別写真画像２７を表示し（Ｓ２６１）、右画面２６Ｒにもう１枚の個別写真画像２７を表示し（Ｓ２６２）、中央画面２６Ｍに落書きの操作方法を示す案内画像６８を表示する（Ｓ２６３）。続いて、ＣＰＵ１０３ｂは、左タッチペン４２Ｌによる左画面２６Ｌへの入力を許可し（Ｓ２６４）、右タッチペン４２Ｒによる右画面２６Ｒへの入力を許可する（Ｓ２６５）。また、ＣＰＵ１０３ｂは、左タッチペン４２Ｌによる右画面２６Ｒへの入力を禁止し（Ｓ２６６）、右タッチペン４２Ｒによる左画面２６Ｌへの入力を禁止する（Ｓ２６７）。
【０１１８】
次に、図３０に示した２連結写真画像設定処理の代わりに、図４４に示した２連結写真画像設定処理を実行する。すなわち、ＣＰＵ１０３ｂはまず、２連結写真画像のサムネイル画像３２をタッチしたのは左タッチペン４２Ｌか右タッチペン４２Ｒかを判断する（Ｓ２６１）。
【０１１９】
左タッチペン４２Ｌの場合（Ｓ２６１で左）、ＣＰＵ１０３ｂは、現在右タッチペン４２Ｒにより連結写真画像が編集対象として選択されている最中か否かを判断する（Ｓ２６２）。連結写真画像が選択されていない場合（Ｓ２６２でＮＯ）、図４５に示すように、ＣＰＵ１０３ｂは選択された２連結写真画像の左写真画像２８Ｌ及び右写真画像２８Ｒをそれぞれ左画面２６Ｌ及び中央画面２６Ｍに表示する（Ｓ２６３）。２連結写真画像の両写真画像２８Ｌ，２８Ｒの間には間隔はなく、それらの辺は互いに接触している。２連結写真画像の右写真画像２８Ｒと既に表示されている右側の個別写真画像２７との間には間隔がおかれる。したがって、利用者は２連結写真画像２８Ｌ，２８Ｒ全体をイメージしながら、しかも個別写真画像２７とは区別しながら、２連結写真画像２８Ｌ，２８Ｒを編集することができる。
【０１２０】
続いて、ＣＰＵ１０３ｂは、左右両タッチペン４２Ｌ，４２Ｒによる左・中央画面２６Ｌ，２６Ｍへの入力を許可し（Ｓ２６４）、左タッチペン４２Ｌによる右画面２６Ｒへの入力を禁止する（Ｓ２６５）。これにより、図４５及び図４６に示すように、左側の利用者は左タッチペン４２Ｌを用いて連結写真画像２８Ｌ，２８Ｒに落書きをすることができるが、右側の個別写真画像２７に落書きすることはできない。また、右側の利用者は右タッチペン４２Ｒを用いて右側の個別写真画像２７だけでなく、連結写真画像２８Ｌ，２８Ｒにも落書きをすることができる。
【０１２１】
一方、右タッチペン４２Ｒの場合（Ｓ２６１で右）、ＣＰＵ１０３ｂは、現在左タッチペン４２Ｌにより連結写真画像が編集対象として選択されている最中か否かを判断する（Ｓ２６６）。連結写真画像が選択されていない場合（Ｓ２６６でＮＯ）、図４７に示すように、ＣＰＵ１０３ｂは選択された２連結写真画像の左写真画像２８Ｌ及び右写真画像２８Ｒをそれぞれ中央画面２６Ｍ及び右画面２６Ｒに表示する（Ｓ２６７）。２連結写真画像の両写真画像２８Ｌ，２８Ｒの間には間隔はなく、それらの辺は互いに接触している。２連結写真画像の左写真画像２８Ｌと既に表示されている左側の個別写真画像２７との間には間隔がおかれる。
【０１２２】
続いて、ＣＰＵ１０３ｂは、左右両タッチペン４２Ｌ，４２Ｒによる中央・右画面２６Ｍ，２６Ｒへの入力を許可し（Ｓ２６８）、右タッチペン４２Ｒによる左画面２６Ｌへの入力を禁止する（Ｓ２６８）。これにより、図４７及び図４８に示すように、右側の利用者は右タッチペン４２Ｒを用いて連結写真画像２８Ｌ，２８Ｒに落書きをすることができるが、左側の個別写真画像２７に落書きすることはできない。また、左側の利用者は左タッチペン４２Ｌを用いて左側の個別写真画像２７だけでなく、連結写真画像２８Ｌ，２８Ｒにも落書きをすることができる。
【０１２３】
なお、現在右タッチペン４２Ｒにより連結写真画像が編集対象として選択されている最中の場合（Ｓ２６２でＹＥＳ）、ＣＰＵ１０３ｂは、図４９に示すように、左側の個別写真画像２７上に連結画像が選択できない旨を表示する（Ｓ２７０）。また、現在左タッチペン４２Ｌにより連結写真画像が編集対象として選択されている最中の場合（Ｓ２６６でＹＥＳ）、ＣＰＵ１０３ｂは、図５０に示すように、右側の個別写真画像２７上に連結画像が選択できない旨を表示する（Ｓ２７０）。したがって、一方側の利用者が連結写真画像を選択している最中においては、他方側の利用者は連結選択画像を選択することができない。そのため、連結写真画像への落書きを突然中断させられてしまうことはない。
【０１２４】
次に、図３３に示した３連結写真画像設定処理の代わりに、図５１に示した３連結写真画像設定処理を実行する。すなわち、ＣＰＵ１０３ｂはまず、図５２に示すように、３連結写真画像に表示を変更してもよいか否かを利用者に確認する確認画面７０を表示する（Ｓ２７１）。利用者が表示された「ＯＫ」ボタン７２にタッチペンで触れると（Ｓ２７２でＹＥＳ）、ＣＰＵ１０３ｂは、図５３に示すように、３連結写真画像を構成する３枚の写真画像３６Ｌ，３６Ｍ，３６Ｒをそれぞれ左・中央・右画面２６Ｌ，２６Ｍ，２６Ｒに表示する（Ｓ２７３）。
【０１２５】
続いて、ＣＰＵ１０３ｂは、左右両タッチペン４２Ｌ，４２Ｒによる左・中央・右画面２６Ｌ，２６Ｍ，２６Ｒへの入力を許可し（Ｓ２７３）。これにより、左右両側の利用者は左右タッチペン４２Ｌ，４２Ｒを用いて３枚の写真画像３６Ｌ，３６Ｍ，３６Ｒに一緒に落書きをすることができる
この場合、３連結写真画像３６Ｌ，３６Ｍ，３６Ｒ全てが並んで表示されるので、利用者は３連結写真画像の全体を見ながら落書きをすることができる。
【０１２６】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【０１２７】
１  自動写真撮影装置
２  撮影空間
３  編集空間
４  撮影装置
８  画像編集装置
１０  カメラ
１１  モニタ表示装置
１２  タッチパネル
１８  連結フレーム
１９  ライブ映像
２０Ｌ，２６Ｌ  左画面
２０Ｍ，２６Ｍ  中央画面
２０Ｒ，２６Ｒ  右画面
２１Ｌ，２１Ｍ，２１Ｒ，２８Ｌ，２８Ｍ，２８Ｒ，３６Ｌ，３６Ｍ，３６Ｒ  写真画像
２２  案内画像
２４  連結装飾画像
２５  編集画面
２７  個別写真画像
３０，３２，３４  サムネイル画像
３８Ｒ  右ボタン
３８Ｌ  左ボタン
４０  編集表示装置
４１  タッチパネル
４２Ｌ  左タッチペン
４２Ｒ  右タッチペン
５５  プリンタ
６０  シール紙
６８  案内画像
１０１ｂ  画像編集用コンピュータ装置
１０１ａ  撮影用コンピュータ装置
【図１】
2011083007.tif 000003
【図２】
2011083007.tif 000004
【図３】
2011083007.tif 000005
【図４】
2011083007.tif 000006
【図５】
2011083007.tif 000007
【図６】
2011083007.tif 000008
【図７】
2011083007.tif 000009
【図８】
2011083007.tif 000010
【図９】
2011083007.tif 000011
【図１０】
2011083007.tif 000012
【図１１】
2011083007.tif 000013
【図１２】
2011083007.tif 000014
【図１３】
2011083007.tif 000015
【図１４】
2011083007.tif 000016
【図１５】
2011083007.tif 000017
【図１６】
2011083007.tif 000018
【図１７】
2011083007.tif 000019
【図１８】
2011083007.tif 000020
【図１９】
2011083007.tif 000021
【図２０】
2011083007.tif 000022
【図２１】
2011083007.tif 000023
【図２２】
2011083007.tif 000024
【図２３】
2011083007.tif 000025
【図２４】
2011083007.tif 000026
【図２５】
2011083007.tif 000027
【図２６】
2011083007.tif 000028
【図２７】
2011083007.tif 000029
【図２８】
2011083007.tif 000030
【図２９】
2011083007.tif 000031
【図３０】
2011083007.tif 000032
【図３１】
2011083007.tif 000033
【図３２】
2011083007.tif 000034
【図３３】
2011083007.tif 000035
【図３４】
2011083007.tif 000036
【図３５】
2011083007.tif 000037
【図３６】
2011083007.tif 000038
【図３７】
2011083007.tif 000039
【図３８】
2011083007.tif 000040
【図３９】
2011083007.tif 000041
【図４０】
2011083007.tif 000042
【図４１】
2011083007.tif 000043
【図４２】
2011083007.tif 000044
【図４３】
2011083007.tif 000045
【図４４】
2011083007.tif 000046
【図４５】
2011083007.tif 000047
【図４６】
2011083007.tif 000048
【図４７】
2011083007.tif 000049
【図４８】
2011083007.tif 000050
【図４９】
2011083007.tif 000051
【図５０】
2011083007.tif 000052
【図５１】
2011083007.tif 000053
【図５２】
2011083007.tif 000054
【図５３】
2011083007.tif 000055
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
被写体を撮影するカメラと、
前記カメラにより撮影されている被写体の映像をライブ映像としてリアルタイムで被写体に向けて表示するモニタ表示装置と、
前記モニタ表示装置に表示されている被写体のライブ映像を写真画像として所定のタイミングで固定するシャッタ手段と、
１枚の写真画像からなる個別写真画像を取得するための個別撮影モードと、複数枚の写真画像からなる連結写真画像を取得するための連結撮影モードとを切り替える切替手段と、
個別撮影モードにおいて前記シャッタ手段により固定された各写真画像を個別写真画像として記憶し、連結撮影モードにおいて前記シャッタ手段により固定された複数の写真画像を連結写真画像として記憶する記憶手段と、
前記記憶手段から読み出された写真画像を表示し、左及び右タッチペンによる入力を受け付けるタッチパネルを有する編集表示装置と、
前記記憶手段に記憶された写真画像の中から編集対象の写真画像を選択する編集写真選択手段と、
前記編集写真選択手段により個別写真画像が選択された場合、その選択された個別写真画像を左画面又は右画面に表示し、前記編集写真選択手段により連結写真画像が選択された場合、その選択された連結写真画像を左画面及び右画面に表示するように前記編集表示装置を制御する編集表示制御手段と、
前記編集写真選択手段により個別写真画像が選択された場合、左画面に対応するタッチパネルの領域内への左タッチペンによる入力を許可しかつ右タッチペンによる入力を禁止し、右画面に対応するタッチパネルの領域内への右タッチペンによる入力を許可しかつ左タッチペンによる入力を禁止し、前記編集写真選択手段により連結写真画像が選択された場合、左画面に対応するタッチパネルの領域内への左及び右タッチペンによる入力を許可しかつ右画面に対応するタッチパネルの領域内への左及び右タッチペンによる入力を許可するタッチペン制御手段と、
左及び右タッチペンによる入力に応じて所望の編集画像を前記編集写真選択手段により選択された写真画像に追加する編集手段と、
前記記憶手段から読み出された写真画像と前記編集手段により追加された編集画像とを合成して印刷するプリンタとを備えたことを特徴とする自動写真撮影装置。
【請求項２】
請求項１に記載の自動写真撮影装置であって、
前記編集表示制御手段は、前記編集写真選択手段により個別写真画像及び連結写真画像が選択された場合、その選択された個別写真画像及び連結写真画像を並べて表示するように前記編集表示装置を制御することを特徴とする自動写真撮影装置。
【請求項３】
請求項２に記載の自動写真撮影装置であって、
前記編集表示制御手段は、連結写真画像の隣り合う写真画像の間には間隔をおかず、個別写真画像と連結写真画像との間には間隔をおくように前記編集表示装置を制御することを特徴とする自動写真撮影装置。
【請求項４】
請求項１に記載の自動写真撮影装置であって、
前記編集表示制御手段は、個別写真画像のサムネイル画像と視覚的に識別可能な態様で連結写真画像のサムネイル画像を表示するように前記編集表示装置を制御することを特徴とする自動写真撮影装置。
【請求項５】
請求項１に記載の自動写真撮影装置であってさらに、
連結写真画像の中から１又は２以上の写真画像を選択する表示写真選択手段を備え、
前記編集表示制御手段は、前記表示写真選択手段により選択された写真画像を表示するように前記編集表示装置を制御することを特徴とする自動写真撮影装置。
【請求項６】
カメラにより撮影されている被写体の映像をライブ映像としてリアルタイムで被写体に向けて表示するステップと、
１枚の写真画像からなる個別写真画像を取得するための個別撮影モードと、複数枚の写真画像からなる連結写真画像を取得するための連結撮影モードとを切り替えるステップと、
前記表示されている被写体のライブ映像を写真画像として所定のタイミングで固定するステップと、
前記個別撮影モードにおいて固定された各写真画像を個別写真画像として記憶手段に記憶するステップと、
前記連結撮影モードにおいて固定された複数の写真画像を連結写真画像として記憶手段に記憶するステップと、
前記記憶手段に記憶された写真画像の中から編集対象の写真画像を選択するステップと、
前記個別写真画像が選択された場合、その選択された個別写真画像を左画面又は右画面に表示するステップと、
前記個別写真画像が選択された場合、左画面に対応するタッチパネルの領域内への左タッチペンによる入力を許可しかつ右タッチペンによる入力を禁止し、右画面に対応するタッチパネルの領域内への右タッチペンによる入力を許可しかつ左タッチペンによる入力を禁止するステップと、
前記連結写真画像が選択された場合、その選択された連結写真画像を左画面及び右画面に表示するステップと、
前記連結写真画像が選択された場合、左画面に対応するタッチパネルの領域内への左及び右タッチペンによる入力を許可しかつ右画面に対応するタッチパネルの領域内への左及び右タッチペンによる入力を許可するステップと、
左及び右タッチペンによる入力に応じて所望の編集画像を前記選択された写真画像に追加するステップと、
前記記憶手段に記憶された写真画像と前記追加された編集画像とを合成して印刷するステップとを備えたことを特徴とする自動写真撮影方法。
【請求項７】
カメラにより撮影されている被写体の映像をライブ映像としてリアルタイムで被写体に向けて表示するステップと、
１枚の写真画像からなる個別写真画像を取得するための個別撮影モードと、複数枚の写真画像からなる連結写真画像を取得するための連結撮影モードとを切り替えるステップと、
前記表示されている被写体のライブ映像を写真画像として所定のタイミングで固定するステップと、
前記個別撮影モードにおいて固定された各写真画像を個別写真画像として記憶手段に記憶するステップと、
前記連結撮影モードにおいて固定された複数の写真画像を連結写真画像として記憶手段に記憶するステップと、
前記記憶手段に記憶された写真画像の中から編集対象の写真画像を選択するステップと、
前記個別写真画像が選択された場合、その選択された個別写真画像を左画面又は右画面に表示するステップと、
前記個別写真画像が選択された場合、左画面に対応するタッチパネルの領域内への左タッチペンによる入力を許可しかつ右タッチペンによる入力を禁止し、右画面に対応するタッチパネルの領域内への右タッチペンによる入力を許可しかつ左タッチペンによる入力を禁止するステップと、
前記連結写真画像が選択された場合、その選択された連結写真画像を左画面及び右画面に表示するステップと、
前記連結写真画像が選択された場合、左画面に対応するタッチパネルの領域内への左及び右タッチペンによる入力を許可しかつ右画面に対応するタッチパネルの領域内への左及び右タッチペンによる入力を許可するステップと、
左及び右タッチペンによる入力に応じて所望の編集画像を前記選択された写真画像に追加するステップと、
前記記憶手段に記憶された写真画像と前記追加された編集画像とを合成して印刷するステップとをコンピュータに実行させることを特徴とする自動写真撮影プログラム。